(57)【要約】【課題】法面などの斜面に構築してある既存の安定梁の緑化を極めて容易に行なうことができるようにした緑化枠を提供することにある。【解決手段】金網製の頂壁１と、この頂壁の両側縁から下方に突出する金網製の両側壁２、２とで緑化枠体Ａを形成し、上記側壁の下縁を斜面に構築してある既存の安定梁Ｂに適宜の取付け手段Ｃを介して取付け、しかるのち、緑化枠体に緑化吹付材を吹き付けながら上記緑化枠体を埋没状態にして、既存の安定梁を極めて簡単に緑化する。【選択図】　　図４
2004108040.tif 000002
【特許請求の範囲】
【請求項１】
金網製の頂壁と、この頂壁の両側縁から下方に突出する金網製の両側壁とで緑化枠体を形成し、上記側壁の下縁を既存安定梁に取付けるように設けた適宜の取付け手段とからなる緑化枠。
【請求項２】
前記頂壁が、吹付材の流下を阻止する波状に屈曲してあることを特徴とする請求項１に記載の緑化枠。
【請求項３】
前記頂壁が、吹付材の流下を阻止する波状に屈曲してあると共に、波状の谷側の網目を波状の山側の粗な網目に対し密にしたことを特徴とする請求項１に記載の緑化枠。
【発明の詳細な説明】
【０００１】
【発明の属する技術分野】
この発明は、オープンカット工法などにより構成した高速道路などの法面や、ダムの湛水斜面、各種施設などに面する傾斜した法面或いは崩壊のおそれのある急傾斜地などの斜面安定工の安定梁を緑化するために用いる緑化枠に関する。
【０００２】
【従来の技術及びその課題】
上述のような斜面安定工の安定梁は、周知のように、左右一対の金網製の側板と、この両側板を連結する一定間隔毎配置の連結枠とで構成された型枠を斜面上に配置する。
【０００３】
上記型枠には、上部主筋及び下部主筋が配筋される。
【０００４】
しかして、型枠にモルタルやコンクリートを打設して安定梁を構築する。
【０００５】
上記の安定梁は、縦列（山と谷とを結ぶ線上）のみ或いは縦列と横列との組み合わせたものがある。
【０００６】
上記のような安定梁は、モルタルやコンクリートの打設のまま放置してあるので、周囲の環境にマッチしない。
【０００７】
特に、安定梁によって囲まれた各升目内の地山に緑化吹付材（客土に種や肥料、保水材を混入したもの）を吹き付けて緑化することもある。
【０００８】
この場合、升目内の緑化に対し安定梁のモルタルやコンクリート表面がむき出しになっているので、アンバランスになって見苦しさが際だつなどの問題があった。
【０００９】
また、既存の安定梁の表面に緑色の塗料を塗布して周囲の環境にマッチさせることも考えられる。
【００１０】
しかしながら、塗布作業に著しく手数がかかって大幅なコストアップになり、また短期間で退色や剥離などによって見苦しくなるなどの問題があった。
【００１１】
そこで、この発明は、既存の安定梁の緑化を極めて容易に行なうことができるようにする。
【００１２】
【課題を解決するための手段】
上記の課題を解決するために、この発明は、金網製の頂壁と、この頂壁の両側縁から下方に突出する金網製の両側壁とで緑化枠体を形成し、上記側壁の下縁を既存安定梁に取付けるように設けた適宜の取付け手段とからなる構成を採用する。
【００１３】
また、前記頂壁が、吹付材の流下を阻止する波状に屈曲してある構成を採用する。
【００１４】
さらに、前記頂壁が、吹付材の流下を阻止する波状に屈曲してあると共に、波状の谷側の網目を波状の山側の粗な網目に対し密にすることもある。
【００１５】
【発明の実施の形態】
この発明の実施の形態を添付図面に基づいて説明する。
【００１６】
この発明の第１の実施形態では、図１から図５に示すように、金網製の頂壁１と、この頂壁１の両側縁から下方に突出して対向する金網製の両側壁２、２とで緑化枠体Ａが形成されている。
【００１７】
上記頂壁１及び両側壁２、２の金網としては、クリンプ金網などが用いられ、頂壁１の両側縁に側壁２、２の上縁を例えばスポット溶接により固着して一体化されている。
【００１８】
また、緑化枠体Ａには、既存の斜面安定梁Ｂの上面に緑化枠体Ａを取付ける取付け手段Ｃが設けてある。
【００１９】
上記の取付け手段Ｃとしては、既設安定梁Ｂの天端面（上面）に鉄筋を配筋して、この鉄筋に緑化枠体Ａを取付ける。例えば図１、図３及び図４に示すように、両側壁２、２の下縁部の網目に貫通させて所定の間隔毎配置した杆材３と、この杆材３の両端から連なって下方に突出する突出杆材４と、この突出杆材４の突出端部に設けた透孔５とで構成し、図４に示すように、既存の安定梁Ｂの上面に緑化枠体Ａを載置（図２に示す山と谷とを結ぶ縦方向の安定梁Ｂのみ或いは縦方向と横方向の安定梁の上にも載置することもある）し、次いで透孔５に挿通したコンクリート釘６を安定梁Ｂの側面に打ち込んで取付ける方式がある。
【００２０】
また、図５に示すように、前もって片方の挟持板８の透孔９にボルト７を挿通しておき、次いで緑化枠体Ａの両側壁２、２の下縁網目にボルト７を通す。
次いで、もう片方挟持板８の透孔９にボルト７を挿通する。
【００２１】
上記両挟持板８を有するボルト７は、所定の間隔毎に配置する。
【００２２】
しかして、安定梁Ｂの上に緑化枠体Ａを載置したのち、ボルト７にナット１０をねじ込みながら、両挟持板８により安定梁Ｂを挟持して緑化枠体Ａを取付ける方式を採用したが、その他の手段によって取付けることもできる。
【００２３】
また、上記以外の取付け手段としては、既設安定梁Ｂの天端面上にアンカーピンで鉄筋を固定し、これに緑化枠体Ａを結束線などで取付ける（図示省略）こともできる。
【００２４】
この場合、緑化枠体Ａに固定用の杆材３や、突出杆材４が不要になる。
【００２５】
勿論、取付けは、上記に限定されず、その他の方式（取付け手段）を採用することもある。
【００２６】
なお、既存の安定梁Ｂは、周知のように、斜面に特開平７−２８６３３０号公報に示すように、型枠Ｋを載置すると共に、上部主筋及び下部主筋を配置する。
【００２７】
次いで、型枠Ｋにモルタルやコンクリートを打設して構築する。
【００２８】
しかして、緑化枠体Ａに緑化吹付材Ｄを吹き付ける。
【００２９】
その際、緑化枠体Ａ内に緑化吹付材Ｄを吹き付けにより充填することで緑化枠体Ａが埋没状態になる。
【００３０】
上記の緑化吹付材Ｄとしては、客土に種子やマンネングサなどの緑化材（物）の混入した植生基盤材で、生育のための保水並びに吸水材や肥料などが混入してある。
【００３１】
この発明の第２の実施形態では、図１及び図３に示すよう、緑化枠体Ａを形成する頂壁１を、吹付材Ｄの流下を止めて安定した付着をはかるための波状に屈曲させてある。
【００３２】
その要因は、頂壁１がフラットな場合、吹付材Ｄが谷側方向に流動するのを止めることにある。
【００３３】
この発明の第３の実施形態では、図１に示すように、波状に屈曲してある頂壁１の網目が、谷側の起立した部分を密な網目２１とし、谷側の起立した部分から山側方向に向く下り勾配の部分を粗な網目２２としてある。
【００３４】
すると、粗な網目２２によって緑化枠体Ａ内への吹付材Ｄの充填がスムーズにかつ容易に行なうことができ、緑化枠体Ａ内に充填された吹付材Ｄの谷側方向への流出は、密な網目２１によって防止される。
【００３５】
なお、両側壁２、２の網目は、緑化吹付材の流出を止めるよう決定すればよい。
【００３６】
【発明の効果】
この発明の緑化枠は、以上のように構成してあるので、斜面に構築された既存の安定梁の緑化を、安定梁に取付けた緑化枠体と、吹付材の吹き付けによって極めて良好に行なうことができる。
【００３７】
また、波状の屈曲した頂壁によって吹き付けた吹付材の谷下方向の流下を阻止して、吹付材の安定した定着をはかることもできる。
【００３８】
さらに、波状に屈曲した頂壁の粗な網目によって緑化枠体内への吹付材のスムーズな充填ができると共に、密な網目によって緑化枠体内の吹付材の谷側方向への流出を防止する効果がある。
【図面の簡単な説明】
【図１】この発明の緑化枠を示す斜視図
【図２】緑化枠の使用状態を示す平面図
【図３】同上の拡大側面図
【図４】同縦断正面図
【図５】取付けの他の例を示す縦断正面図
【符号の説明】
Ａ　　　緑化枠体
Ｂ　　　安定梁
Ｃ　　　取付け手段
Ｄ　　　吹付材
１　　　頂壁
２　　　側壁
３　　　杆材
４　　　突出杆材
５　　　透孔
６　　　釘
７　　　ボルト
８　　　挟持板
９　　　透孔
１０　　ナット
２１　　密な網目
２２　　粗な網目
【図１】
2004108040.tif 000003
【図２】
2004108040.tif 000004
【図３】
2004108040.tif 000005
【図４】
2004108040.tif 000006
【図５】
2004108040.tif 000007